(57)【要約】【課題】  内容物が容器の胴壁を透過して放出したときに、容器内が減圧し、変形することを防止するようにした減圧変形防止容器を提供すること。【解決手段】  口筒部と首部を具えた容器であって、首部には、円周の一部に平面部を切り欠いて形成される切欠壁部が形成され、切欠壁部の平面部の中心には、横方向に向かい開口を穿設した弁係合筒が設けられ、弁係合筒に弁部材が装着され、容器内が減圧したときに、弁部材により容器内に外気が吸入されることを特徴とする。【選択図】  図１
2008137659.tif 000002
【特許請求の範囲】
【請求項１】
口筒部と首部を具えた容器であって、
首部には、円周の一部に平面部を切り欠いて形成される切欠壁部が形成され、
切欠壁部の平面部の中心には、横方向に向かい開口を穿設した弁係合筒が設けられ、
弁係合筒に弁部材が装着され、
容器内が減圧したときに、弁部材により容器内に外気が吸入されることを特徴とする減圧変形防止容器。
【請求項２】
口筒部に弁部ジョイントを装着した容器であって、
弁部ジョイントは、容器本体の口筒部と係合する係合筒部と、首筒部と、取付キャップを螺着する口筒部とを具え、
首筒部には、外周の一部から横方向に向かい突設される弁係合筒が設けられ、
弁係合筒内周の内方端には、中心に首筒部内方に開口する係合孔を穿設した係合壁が設けられ、
弁係合筒に弁部材が装着され、
容器内が減圧したときに、弁部材により容器内に外気が吸入されることを特徴とする減圧変形防止容器。
【請求項３】
弁部材が、柔軟性のある素材で形成される弁と、弁部材を弁係合筒に装着する弁押さえとからなり、
弁押さえは、弁係合筒に装着する係合筒と、空気孔が穿設された弁支持筒とを具えていることを特徴とする請求項１、２記載の減圧変形防止容器。
【発明の詳細な説明】
【技術分野】
【０００１】
本発明は、容器、とくに容器内の減圧に対して容器の変形を防止する減圧変形防止容器に関するものである。
【背景技術】
【０００２】
リモネン含有物品を安定的に保存するための包装容器として、保香性やガスバリア性に優れた樹脂を素材とした積層フィルムを、袋状の容器とすること、或いはシートまたはフィルムを用いて成形したチューブ、ボトル等を得ることは、従来より知られている（例えば、特許文献１参照）。
【特許文献１】特開２００６−２８２６３８
【発明の開示】
【発明が解決しようとする課題】
【０００３】
しかしながら、ＰＥＴボトルの場合には、リモネン含有物品に対するガスバリア性が不十分であって、長時間使用していると、ボトル胴部が減圧により変形するという問題があった。
【０００４】
本発明は、上記の問題を解決することを課題として、内容物が容器の胴壁を透過して放出したときに、容器内が減圧し、変形することを防止するようにした減圧変形防止容器を提供することを目的とする。
【課題を解決するための手段】
【０００５】
本発明は、上記の課題を解決するため、減圧変形防止容器として、口筒部と首部を具えた容器であって、首部には、円周の一部に平面部を切り欠いて形成される切欠壁部が形成され、切欠壁部の平面部の中心には、横方向に向かい開口を穿設した弁係合筒が設けられ、弁係合筒に弁部材が装着され、容器内が減圧したときに、弁部材により容器内に外気が吸入されることを特徴とする構成を採用する。
【０００６】
減圧変形防止容器の別実施例として、口筒部に弁部ジョイントを装着した容器であって、弁部ジョイントは、容器本体の口筒部と係合する係合筒部と、首筒部と、取付キャップを螺着する口筒部とを具え、首筒部には、外周の一部から横方向に向かい突設される弁係合筒が設けられ、弁係合筒内周の内方端には、中心に首筒部内方に開口する係合孔を穿設した係合壁が設けられ、弁係合筒に弁部材が装着され、容器内が減圧したときに、弁部材により容器内に外気が吸入されることを特徴とする構成を採用する。
【０００７】
弁部材の実施例として、弁部材が、柔軟性のある素材で形成される弁と、弁部材を弁係合筒に装着する弁押さえとからなり、弁押さえは、弁係合筒に装着する係合筒と、空気孔が穿設された弁支持筒とを具えていることを特徴とする構成を採用する。
【発明の効果】
【０００８】
容器本体、またはジョイントに、外気を容器内に吸気する弁部材を装着することにより、内容液に含まれるリモネンなどの成分が時間の経過とともに、容器壁面を透過して容器の外に放出しても、弁部材により容器内に外気を吸気できるので、内圧を一定にすることができ、減圧による容器の変形を防止することができるようになった。
【発明を実施するための最良の形態】
【０００９】
次に、本発明の容器について、実施例をあげて説明する。
【実施例１】
【００１０】
図１において、Ａは容器本体、Ｂは容器本体Ａの首部に装着される弁部材、Ｃは容器本体Ａの口筒部に螺着する取付キャップ、Ｄは取付キャップＣを介して容器本体Ａに装着される液体噴出器である。
【００１１】
図１、２に示すように、容器本体Ａは、口筒部１と首部２、胴部３とからなり、口筒部１には、ねじ４が螺設されている。
首部２には、円周の一部に平面部５ａを切り欠いて形成される切欠壁部５が形成されている。
【００１２】
切欠壁部５の平面部５ａの中心には、横方向に向かい開口６を穿設した弁部材Ｂを装着する弁係合筒７が配設されている。
弁係合筒７の外周には、係合突条８が設けられている。
【００１３】
弁部材Ｂは、ゴム、エラストマー等の軟材質、または柔軟性のある合成樹脂で形成される弁Ｂ１と、該Ｂ１を装着するとともに、容器本体Ａの首部２の弁係合筒７に装着する弁押さえＢ２とからなっている。
弁Ｂ１は、弁筒１０と、弁筒１０の一端に連設されるフランジ１１と、弁筒１０のフランジ１１の反対側に、内方に傾斜する弁部１２が形成されている。
【００１４】
弁押さえＢ２は、押さえ壁１５と、内周が容器本体Ａの首部２の弁係合筒７外周に係合する係合筒１６とを具えており、係合筒１６の内周には、首部２の弁係合筒７の係合突条８と係合する係合部１７が配設されている。
【００１５】
押さえ壁１５の中心には、空気孔１８が穿設され、空気孔１８の内周には、連結片１９を介して、弁Ｂ１の弁筒１０の弁部１２内周が摺接し、弁部１２が弁動する弁軸筒２０が配設されている。
【００１６】
取付キャップＣは、図１に示すように、側周壁２５内周に設けたねじと、容器本体Ａの口筒部１のねじ４とを螺合させ、取付キャップＣおよび液体噴出器Ｄを容器本体Ａの上部に装着するものであり、詳細な説明は省略する。
【００１７】
液体噴出器Ｄは、トリガー２６を引くことで、内部のポンプにより、容器本体Ａ内の内容液を吸上げパイプ２７で吸上げ、噴霧ノズル２８より噴出するものであればよく、また、内容液を噴霧することにより、容器内の内容液を吸上げ、容器内が減圧した際に、外部より容器内に空気を導入する従来の噴霧器でもよく、詳細な説明は省略する。
【００１８】
次に、本実施例の作用効果について説明する。
弁Ｂ１の弁筒１０内周に、フランジ１１側から弁押さえＢ２の弁軸筒２０外周先端を挿入し、弁筒１０の弁部１２内周に弁軸筒２０を摺動させながら、弁Ｂ１を弁押さえＢ２に取付け、弁部材Ｂとし、該弁部材Ｂを容器本体Ａの弁係合筒７に装着する。
【００１９】
弁部材Ｂを弁係合筒７に装着することにより、弁Ｂ１のフランジ１１が、弁押さえＢ２の押さえ壁１５下面と弁係合筒７の筒先端面とで挟持され、弁Ｂ１が弁係合筒７内にズレ込むことを防止している。
【００２０】
次に、容器本体Ａ内に、リモネンなど透過し易い成分を含んだ内容液を充填した後、取付キャップＣにより液体噴出器Ｄを容器本体Ａの口筒部１に装着させ、本実施例の液体噴出容器とする。
【００２１】
内容液に含まれるリモネンなどの成分は、時間の経過とともに気化し、容器壁面を透過して容器外に放出するため、容器内は減圧するが、本実施例の容器では、容器内が減圧すると、弁部材Ｂの弁Ｂ１の弁筒１０の先端の弁部１２が変形し、弁押さえＢ２の弁軸筒２０外周との間に間隙を瞬間的に形成し、弁押さえＢ２の空気孔１８から外気を容器本体Ａの弁係合筒７の開口６より容器内に吸気して容器内の内圧を一定にすることができ、減圧による容器の変形を防止することができる。
【００２２】
上記実施例では、液体噴出器Ｄのトリガー２６を操作することにより、容器本体Ａ内の内容液を噴霧ノズル２８より噴出するものとしたが、本発明の容器の噴出器としては、例えば押し下げポンプ式としてもよく、液体噴出器自体の構成は、上記実施例の構成に限定されない。
【００２３】
また、液体噴出器Ｄ、および取付キャップＣの代わりに、図２に示した容器本体Ａの口筒部１に螺合して容器内を密封する蓋体を装着し、詰め替え用容器とすることもできる。
詰め替え容器として、時間の経過とともに気化して容器を透過する成分の内容液でも、容器内が負圧になっても弁部材Ｂにより容器内に外気が吸気されるので、減圧によって容器自体が変形することを防止することができる。                
【実施例２】
【００２４】
次に、実施例１において、容器本体と取付キャップの間に弁部ジョイントを装着するようにした第２実施例について説明する。
実施例１と同様の構成部分は、同一の符号をもって図示し、以下相違点を中心に説明する。
【００２５】
図３において、Ｅは容器本体、Ｆは容器本体Ｅに装着される弁部ジョイント、Ｃは弁部ジョイントＦに螺着する取付キャップ、Ｄは取付キャップＣを介して弁部ジョイントＦに装着される液体噴出器である。
容器本体Ｅは、口筒部３０と胴部３１とからなり、口筒部には、ねじ３２が螺設されている。
【００２６】
図３、４に示すように、弁部ジョイントＦは、ジョイントＦ１と、ゴム、エラストマー等の軟材質、または柔軟性のある合成樹脂で形成される弁Ｂ１と、弁Ｂ１を装着するとともに、ジョイントＦ１に装着する弁押さえＦ２とからなっている。
【００２７】
ジョイントＦ１は、外周にねじ３５を螺設した口筒部３６と首筒部３７と、首筒部３７の外周の一部から横方向に向かい突設される弁係合筒３８と、首筒部３７の下端に連設される係合筒部３９とを具えており、係合筒部３９の内周には、容器本体Ｅの口筒部３０に螺合するねじ４０が螺設されている。
【００２８】
弁係合筒３８の内周の内側端には、中央に首筒部３７の内方に開口するとともに、弁Ｂ１、および弁押さえＦ２の先端部を、首筒部３７の内方に挿入させる係合孔４１を穿設した係合壁４２が形成され、内周の外側には、係合部４３が配設されている。
【００２９】
弁押さえＦ２は、外周がジョイントＦ１の弁係合筒３８内周に係合する係合筒４５と、係合筒４５の内周の内側端に、中央に空気孔４６が穿設された押さえ壁４７とを具えている。  
空気孔４６の内周には、連結片４８を介して、弁Ｂ１の弁部１２が弁動するとともに、弁Ｂ１の先端部とともに弁係合筒３８の係合孔４１内方に挿入される弁軸４９が配設されている。
係合筒４５の外周には、ジョイントＦ１の弁係合筒３８内周の係合部４３に係合する係合突条５０が配設されている。
【００３０】
次に、本実施例の作用効果について説明する。
弁Ｂ１の弁筒１０内周にフランジ１１側から弁押さえＦ２の弁軸４９外周先端を挿入し、弁Ｂ１を弁押さえＦ２に取付けた後、弁押さえＦ２をジョイントＦ１の弁係合筒３８内に装着し、弁部ジョイントＦとする。
【００３１】
ジョイントＦ１の弁係合筒３８内に弁押さえＦ２を装着することにより、弁Ｂ１のフランジ１１が、弁押さえＦ２の押さえ壁４７下面と弁係合筒３８の係合壁４２上面とで挟持され、弁Ｂ１がジョイントＦ１内にズレ込むことを防止している。
【００３２】
次に、容器本体Ｅ内にリモネンなどの気化して容器を透過し易い成分を含んだ内容液を充填した後、容器本体Ｅの口筒部３０と弁部ジョイントＦの係合筒部３９とを螺合させた後、取付キャップＣにより液体噴出器Ｄを弁部ジョイントＦの口筒部３６に装着させ、本実施例の液体噴出容器とする。
【００３３】
本実施例の容器では、内容液の気化により容器本体Ｅ内が減圧すると、弁部ジョイントＦの弁Ｂ１の弁筒１０の先端の弁部１２が変形し、弁押さえＦ２の弁軸４９外周との間に間隙を瞬間的に形成し、弁押さえＦ２の空気孔４６から外気をジョイントＦ１内から容器内に吸気して容器内の内圧を一定にすることができ、減圧による容器の変形を防止することができる。
【００３４】
また、液体噴出器Ｄおよび取付キャップＣの代わりに、図４に示したジョイントＦ１の口筒部３６に螺合して容器内を密封する蓋体を装着し、詰め替え用容器とすることもできる。
その他、第１実施例と同一の作用効果を得ることができる。
【００３５】
前記各実施例では、弁部材を容器本体の首部、または口筒部に装着したジョイントに設けるようにしているが、容器本体の胴部、または底部に配設するようにしてもよく、実施例の配設位置に限定されない。
【００３６】
また、各実施例では、弁部材を、弁と弁押さえとから構成し、弁係合筒に装着するようにし、弁押さえの弁軸筒２０、または弁軸４９にフランジを具えた弁を取着するようにしているが、弁体をゴム、エラストマー等の軟材質のチューブとして、空気孔を設けた弁支持筒に被覆するようにしてもよく、実施例に限定されない。
【産業上の利用可能性】
【００３７】
内容液に含まれるリモネンなどの成分により、容器内が減圧しても、容器自体またはジョイントに設けた弁で容器内に外気を吸気して容器内の内圧を一定に保つことができ、容器をある程度の期間放置しても変形を防止することができる容器として、トリガー式液体噴出容器やポンプ式液体容器など、またはそれらの詰め替え容器として消費者が安心して使用することができる。
【図面の簡単な説明】
【００３８】
【図１】本発明の第１実施例の減圧変形防止容器の断面立面図である。
【図２】容器本体の首部の説明図で、（ａ）は要部斜視図、（ｂ）は図１のＸ−Ｘ線の上面図である。
【図３】本発明の第２実施例の減圧変形防止容器の断面立面図である。
【図４】弁部ジョイントの説明図で、（ａ）は要部斜視図、（ｂ）は図３のＸ−Ｘ線の上面図である。
【符号の説明】
【００３９】
Ａ、Ｅ        容器本体
Ｂ            弁部材
Ｂ１          弁
Ｂ２、Ｆ２    弁押さえ
Ｃ            取付キャップ
Ｄ            液体噴出器
Ｆ            弁部ジョイント
Ｆ１          ジョイント
１、３０、３６    口筒部
２            首部
３、３１      胴部   
４、３２、３５、４０    ねじ
５            切欠壁部
５ａ          平面部
６            開口
７、３８      弁係合筒
８、５０      係合突条
１０          弁筒
１１          フランジ
１２          弁部
１５、４７    押さえ壁
１６、４５    係合筒
１７、４３    係合部
１８、４６    空気孔
１９、４８    連結片
２０          弁軸筒
２５          側周壁
２６          トリガー
２７          吸上げパイプ
２８          噴霧ノズル
３７          首筒部
３９          係合筒部
４１          係合孔
４２          係合壁
４９          弁軸
【図１】
2008137659.tif 000003
【図２】
2008137659.tif 000004
【図３】
2008137659.tif 000005
【図４】
2008137659.tif 000006